(57)【特許請求の範囲】
【請求項１】
アンテナを通じて衛星に対して電波を送受信するＲＦ送信系とＲＦ受信系を有するＲＦ装置と、
前記ＲＦ装置に対して通信線を介して接続され、ＩＦ送信系とＩＦ受信系と、
前記ＲＦ装置の送受信内容を制御する回線制御装置とを有する主装置と、
前記ＲＦ装置または前記主装置の少なくとも一方の側に配される、送信系から受信系への不具合診断用折り返しループとを備え、
前記主装置には、船舶用通信装置の通信状況を記録する記憶装置が設けられ、前記回線制御装置において、通信状況の不具合が検出されたときに、前記折り返しループを閉じ、該折り返しループ内での不具合診断を行い、不具合箇所が、折り返しループ内にあるのか外にあるのかを判断し、その判断結果を前記記憶装置に記憶する
ことを特徴とする船舶用通信装置。
【発明の詳細な説明】
【０００１】
【発明の属する技術分野】
この発明は、インマルサットシステム等における通信衛星を利用して、船舶対船舶間あるいは船舶対海岸局（地上局あるいは地球局ともいう。）間等の通信を行う船舶用通信装置に関する。
【０００２】
【従来の技術】
従来から、船舶に搭載される通信装置（船舶用通信装置という。）においては、航行中に、その装置の機能の一部に不具合が発生した場合、その不具合の状況が、ユーザーによりノート等にメモとして記入される。そして、着岸時に、サービスマン等により、そのメモの内容に基づき、その船舶用通信装置が点検され、不具合の原因が究明される。
【０００３】
しかしながら、不具合が発生した後であって何日か経過した後に、サービスマン等が、そのメモの内容に基づき不具合の原因を究明して不具合発生箇所を特定し、その不具合を対策あるいは修理することは技術的にきわめて困難である。そして、船舶の場合には、再び出航するため、不具合の対策期間も限られる。
【０００４】
このような不具合原因究明作業の効率化および対策期間の短縮化を図るための技術として、特開２００１−５５１８号公報に開示された技術を挙げることができる。
【０００５】
この技術では、端末器や周辺機器の中央監視制御装置に記憶装置を設け、該記憶装置に、前記端末器や周辺機器の機能を実行させる複数のプログラムの実行状態遷移情報を、いわゆるログファイルとして連続的に記憶するようにしている。これにより、不具合が発生した場合には、そのログファイルを解析して、不具合状況の解析、原因の究明が容易にできるとされている。
【０００６】
【発明が解決しようとする課題】
しかしながら、上記技術を、船舶用通信装置に搭載したとしても、プログラムの実行状態遷移情報を記憶したログファイルのみを解析して、不具合箇所を特定し、不具合の原因を究明することは相当困難である。
【０００７】
すなわち、プログラムの実行状態遷移情報のみの解析では、ハードウエアの不具合箇所を、簡単には検出することができないという問題もある。
【０００８】
さらに、プログラムの実行状態遷移情報の全てをログファイルとして記憶するためには、たとえば一度航海に出ると数ヶ月間、帰港しない船舶に搭載されている船舶用通信装置の場合には、記憶装置の記憶容量が膨大になるという問題がある。
【０００９】
この発明はこのような課題を考慮してなされたものであり、不具合箇所の特定を容易とする船舶用通信装置を提供することを目的とする。
【００１０】
また、この発明は、ログファイルを記憶するための記憶装置のメモリ容量を低減することを可能とする船舶用通信装置を提供することを目的とする。
【００１１】
【課題を解決するための手段】
この項では、理解の容易化のために添付図面中の符号を付けて説明する。したがって、この項に記載した内容がその符号を付けたものに限定して解釈されるものではない。
【００１２】
この発明に係る船舶用通信装置（１０）は、アンテナ（７２）を通じて衛星に対して電波を送受信するＲＦ送信系（２６，２８）とＲＦ受信系（３２，３４）を有するＲＦ装置（１６）と、前記ＲＦ装置に対して通信線（１４）を介して接続され、ＩＦ送信系（５０，５２）とＩＦ受信系（４６，４８）と、前記ＲＦ装置の送受信内容を制御する回線制御装置（４０）とを有する主装置（１２）と、前記ＲＦ装置または前記主装置の少なくとも一方の側に配される、送信系から受信系への不具合診断用折り返しループ（６１，６２）とを備え、前記主装置（１２）には、船舶用通信装置（１０）の通信状況を記録する記憶装置（４２）が設けられ、前記回線制御装置（４０）において、通信状況の不具合が検出されたときに、前記折り返しループ（６１，６２）を閉じ、該折り返しループ内での不具合診断を行い、不具合箇所が、折り返しループ内にあるのか外にあるのかを判断し、その判断結果を前記記憶装置（４２）に記憶することを特徴とする（請求項１記載の発明）。
【００１３】
この発明によれば、船舶用通信装置において、送信系から受信系への不具合診断用折り返しループを設けることで、不具合箇所を切り分けることができる。たとえば、不具合診断用折り返しループを主装置側に設けた場合には、船内装置と船上装置に切り分けることが可能であり、不具合診断用折り返しループをＲＦ装置側に設けた場合には、通信装置（船内装置＋船上装置）とアンテナ（ダイプレクサ含む）に切り分けることが可能である。また、両方に設けた場合には、船内装置と船上装置とアンテナとを切り分けることが可能である。
【００１４】
結果として、不具合箇所の特定を容易化する。
【００１５】
この場合、通信状況の不具合が発生したときのみ、記憶装置（４２）に、切り分けた不具合箇所を記憶しておくことで、着岸時における原因究明時間の短縮化が可能である。また、通信状況の不具合が発生したときのみ、記憶装置に記憶するようにしているので、連続的に記憶する場合に比較して、記憶容量を少なくすることができる。
【００１６】
もちろん、１回の通信毎に通信状況を記憶装置に記憶してもよい。
【００１７】
【発明の実施の形態】
図１は、この発明の実施の形態に係る船舶用通信装置１０の構成を示している。
【００１８】
この船舶用通信装置１０は、図示していない船舶上に搭載される。船舶用通信装置１０は、基本的には、船内に配置される主装置１２と、この主装置１２に対して通信線である同軸ケーブル１４を介して接続され船上に配置されるＲＦ装置１６と、このＲＦ装置１６に同軸ケーブルであるアンテナケーブル７８および制御信号ケーブル７９を介して接続され船上に配置されるアンテナ装置７０とから構成される。
【００１９】
アンテナ装置７０は、たとえばインマルサットシステム等における図示していない通信衛星を介して他の船舶あるいは海岸局に対して電波を送受信するアンテナ７２と、このアンテナ７２を所定の通信衛星の方向に向けるための制御用サーボモータ７４と、アンテナ７２が実際に向いている角度を検出して出力する角度検出装置７６とを備えている。実際上、アンテナ７２の受信方向は、受信電波の強度が最大となるようにフィードバック位置制御がなされる。
【００２０】
このアンテナ装置７０を構成するアンテナ７２は、ＲＦ装置１６を構成する送受共用器であるダイプレクサ２０にアンテナケーブル７８を介して接続されている。また、制御用サーボモータ７４および角度検出装置７６は、アンテナ制御装置６４に制御信号ケーブル７９を介して接続されている。
【００２１】
主装置１２およびＲＦ装置１６には、それぞれ、信号を重畳あるいは分離する回路として機能するインタフェース２２、２４を有している。インタフェース２２、２４間の同軸ケーブル１４では、周波数多重信号が伝送される。
【００２２】
ＲＦ装置１６を構成するインタフェース２４とダイプレクサ２０との間には、ＲＦ送信系として、アップコンバータ２６および大電力増幅器（High Power Amplifier、略してＨＰＡ）２８が直列に接続されている。ここで、大電力増幅器２８の送信電力の一部を検出する送信電力検出器３６が、インタフェース２４との間に接続されている。送信電力検出器３６は、マイクロコンピュータとデータモデム等により構成される。
【００２３】
また、インタフェース２４とダイプレクサ２０との間には、ＲＦ受信系として低雑音増幅器（Low Noise Amplifier、略してＬＮＡ）３２と周波数変換器としてのダウンコンバータ３４が直列に接続されている。
【００２４】
さらに、インタフェース２４には、アンテナ制御装置６４が配されている。このアンテナ制御装置６４は、インタフェース２４を介して主装置１２の回線制御装置４０からの指示に基づき、制御信号ケーブル７９を通じてアンテナ装置７０の制御用サーボモータ７４にアンテナ指示角信号を送るとともに、このアンテナ装置７０の角度検出装置７６から実際のアンテナ角を表すアンテナ角信号を、制御信号ケーブル７９を介して受け取る。
【００２５】
なお、アンテナ制御装置６４には、送信・サーボスイッチ６６が接続され、この送信・サーボスイッチ６６をオフ状態からオン状態に切り替えることにより、大電力増幅器２８とアンテナ装置７０に図示していない電源から電源が供給される。
【００２６】
一方、主装置１２には、回線制御装置４０が配置され、この回線制御装置４０は、以下の各装置として機能する。すなわち、回線制御装置４０は、アンテナ装置７０とＲＦ装置１６と主装置１２とからなる船舶用通信装置１０の全体の送受信内容を制御する回線の制御装置、船舶用通信装置１０の異常あるいは故障箇所を検出したり判断したりする異常検出装置・不具合検出装置・故障検出装置・判断装置、および船舶用通信装置１０の異常時あるいは故障時または通信毎にデータの収集を制御するデータ収録制御装置として機能する。
【００２７】
この回線制御装置４０は、制御、演算、処理の各手段として機能するマイクロコンピュータにより構成され、図示していないＣＰＵ、ＲＯＭ、ＲＡＭ等を有し、ＲＯＭには、船舶用通信装置１０の通信用プログラムの他、不具合診断に係わるプログラムが予め格納されている。なお、上記アンテナ制御装置６４もマイクロコンピュータにより構成される。
【００２８】
回線制御装置４０には、たとえばＥＥＰＲＯＭ等で構成され不具合箇所等を記憶する記憶装置としての一時記憶装置４２が接続されている。
【００２９】
また、回線制御装置４０には、作業用として使用されるＲＡＭである主記憶装置４４が接続されている。
【００３０】
さらに、この回線制御装置４０には、電話機、ファクシミリ、データ通信装置等の端末装置６０が接続されている。端末装置６０は、図示していないＣＲＴ等の表示装置も有している。
【００３１】
この回線制御装置４０とインタフェース２２との間には、ＩＦ受信系としての周波数変換器４６と受信機４８とが直列に接続されている。
【００３２】
また、回線制御装置４０とインタフェース２２との間には、ＩＦ送信系としての送信機５０と周波数変換器５２とが直列に接続されている。
【００３３】
主装置１２内の送信系の周波数変換器５２から受信系の周波数変換器４６に対して、不具合診断信号送出用の第１の折り返しループ６１が設けられ、ＲＦ装置１６の送信系の大電力増幅器２８から受信系の低雑音増幅器３２に対して不具合診断信号送出用の第２の折り返しループ６２が設けられている。
【００３４】
折り返しループ６１、６２は、不具合診断の際に開閉され、通常送受信時には、開放状態となっている。なお、開閉は高周波リレー等を用いて物理的に行ってもよく、周波数選択により行うようにしてもよい。周波数選択の場合には、折り返しループ６１、６２内に、不具合診断用の信号のみを通過させるバンドパスフィルタを挿入しておく。この実施の形態では、バンドパスフィルタが挿入されているものとする。
【００３５】
この実施の形態に係る船舶用通信装置１０は、基本的には、以上のように構成されるものであり、次にその動作について説明する。
【００３６】
まず、正常時における全体的な動作について説明し、次に、回線制御装置４０による不具合診断動作について説明する。
【００３７】
まず、正常時における全体動作について説明するが、正常時においては、折り返しループ６１、６２には何も信号が流されず、折り返しループは開放状態となっている。すなわち、上記バンドパスフィルタにより折り返しループが開放されている。
【００３８】
折り返しループが開放となっている状態において、端末装置６０からの電話信号、ファクシミリ信号、データ信号は、回線制御装置４０によりベースバンド信号とされ、このベースバンド信号が送信機５０を介して変調されて周波数変換器５２に供給され、この周波数変換器５２で中間周波信号である周波数ｆ１の送信ＩＦ信号とされる。
【００３９】
この送信ＩＦ信号は、インタフェース２２、同軸ケーブル１４、およびインタフェース２４を介してアップコンバータ２６に供給され、このアップコンバータ２６により高周波信号である周波数ｆｔの送信ＲＦ信号に変換される。
【００４０】
送信ＲＦ信号は、大電力増幅器２８、ダイプレクサ２０、アンテナケーブル７８およびアンテナ７２を通じて送信される。この送信波は、図示しない通信衛星を介して海岸局に送信され、海岸局から相手先に配信される。
【００４１】
その一方、相手先からの信号に係わる送信ＲＦ信号が図示しない通信衛星を介しアンテナ７２およびアンテナケーブル７８を通じて受信ＲＦ信号としてＲＦ装置１６に供給される。
【００４２】
送信ＲＦ信号（周波数ｆｔ）と受信ＲＦ信号（周波数ｆｒ）とは周波数が異なるため、受信ＲＦ信号（周波数ｆｒとする。）は、ダイプレクサ２０を通じて低雑音増幅器３２に供給される。
【００４３】
この微小な受信ＲＦ信号は、低雑音増幅器３２で増幅された後、ダウンコンバータ３４により周波数ｆ２（上述の周波数ｆ１と周波数が異なる。）の受信ＩＦ信号に変換される。
【００４４】
受信ＩＦ信号は、インタフェース２４、同軸ケーブル１４、インタフェース２２、周波数変換器４６、受信機４８を通じて復調されベースバンド信号として回線制御装置４０に供給される。
【００４５】
回線制御装置４０は、このベースバンド信号を電話信号、ファクシミリ信号あるいはデータ信号に変換して端末装置６０に送る。
【００４６】
このようにして、船舶用通信装置１０を構成する端末装置６０は、外部の船舶あるいは海岸局等との相互通信を行うことができる。
【００４７】
なお、送信時において、送信電力は、大電力増幅器２８の出力を検出する送信電力検出器３６により連続的に検出され、検出信号が、周波数多重通信により、インタフェース２４、同軸ケーブル１４、インタフェース２２、周波数変換器４６、受信機４８を通じて回線制御装置４０に供給され、該回線制御装置４０で監視される。回線制御装置４０では、一通信毎の送信電力の値が、一時記憶装置４２に送信年月日等を見だしとして記憶される。
【００４８】
以上の説明が、正常時における動作の説明である。
【００４９】
次に、通信が上手くいかない場合（不具合が発生した場合あるいは不具合が発生したと思われる場合）における回線制御装置４０による不具合診断動作について説明する。
【００５０】
回線制御装置４０による不具合診断動作は、回線制御装置４０において、通信終了理由コードにより通信状況の異常が検出されたとき（たとえば、通信終了理由コードの内容が、通信が正常に終了しなかったというときなど。）に、自動的に開始される（自動不具合診断）。また、通信がうまくいないとユーザが感じたときに、該ユーザにより端末装置６０上の故障診断ボタンが押下されたときに開始される（手動不具合診断）。
【００５１】
図２は、不具合診断ルーチンの一例のフローチャートを示している。
【００５２】
不具合診断に際し、最初に、ステップＳ１では、アンテナ７２がリワインド状態であるかどうかが確認される。アンテナ７２には、アンテナケーブル７８が取付られているために３６０゜回転することができずに、制御用サーボモータ７４による回転角は０゜〜２７０゜に制限されている。そのため、２７０゜を過ぎるとアンテナ７２を反転させる。このアンテナ７２の反転期間をリワインド状態といい、この状態では、通信衛星から電波を受信することができない。したがって、このステップＳ１の「リワインド状態ではない。」の判断が成立したとき、ステップＳ２に進む。
【００５３】
次に、ステップＳ２では、送信・サーボスイッチ６６がオン状態になっていることを確認する。この送信・サーボスイッチ６６がオン状態のときに、制御用サーボアンプ７４および大電力増幅器２８等に電源が供給されるので、オン状態でないと、制御用サーボモータ７４およびＲＦ送信系が動作しない。
【００５４】
ステップＳ２の判断が成立していない場合には、ユーザに送信サーボスイッチ６６の操作を端末装置６０上の表示等で促し、送信・サーボスイッチ６６が押下されるまで待つ。
【００５５】
送信・サーボスイッチ６６がオン状態とされた後、ステップＳ４、Ｓ５では、所定の入力に応じてアンテナ指示角信号を制御用サーボモータ７４に送り、アンテナ指示角信号の指示通りになったかどうかを角度検出装置７６からのアンテナ角信号で検出する。
【００５６】
アンテナ７２が回転すれば、ステップＳ４の判定は成立し、アンテナ角信号とアンテナ指示角信号との差が５゜以内であれば、ステップＳ５の判定が成立する。
【００５７】
次に、ステップＳ６では、折り返しループ６１を閉じた状態とする。ただし、折り返しループ６２は、開いたままの状態としておく。この場合、回線制御装置４０は、所定のデータ（不具合診断用のデータ）を送信機５０を通じて周波数変換器５２に送るとともに、この所定のデータを、送信側の周波数変換器５２から、周波数ｆ２（すなわち、受信中間周波数）のＩＦ信号に変換して折り返しループ６１を通じて受信側の周波数変換器４６に供給させるように制御する。折り返しループ６１内に挿入されるバンドパスフィルタの通過周波数帯は、この周波数ｆ２に設定してある。
【００５８】
このように、折り返しループ６１を閉じるとは、周波数変換器５２の倍率を変換し、出力周波数を周波数ｆ２の受信ＩＦ信号とすることをいう。
【００５９】
折り返しループ６１を通じて供給された不具合信号用のデータである周波数ｆ２のＩＦ信号が、周波数変換器４６を介し受信機４８で復調される。回線制御装置４０は、受信機４８で復調されたデータが、送信機５０を通じて送り出した前記所定のデータであるかどうかを確認する。
【００６０】
同一のデータであれば、送信機５０、周波数変換器５２、折り返しループ６１、周波数変換器４６および受信機４８からなるループ（ルート）が正常であると判定することができる。
【００６１】
次に、ステップＳ７では、折り返しループ６１を開いた状態にもどし、折り返しループ６２を閉じた状態とする。実際上、回線制御装置４０は、アップコンバータ２６の出力周波数ｆｔが、受信周波数ｆｒとなるように、アップコンバータ２６の倍率を変更する。したがって、折り返しループ６２内には、図示していない通過周波数ｆｒのバンドパスフィルタが挿入される。
【００６２】
折り返しループ６１が開放され折り返しループ６２が閉じられた状態において、回線制御装置４０は、所定のデータ（不具合診断用のデータ）を送信機５０に送り出すと、この所定のデータに対応する信号が、送信機５０、周波数変換器５２、インタフェース２２、同軸ケーブル１４、インタフェース２４、アップコンバータ２６、大電力増幅器２８、折り返しループ６２、低雑音増幅器３２、ダウンコンバータ３４、インタフェース２４、同軸ケーブル１４、インタフェース２２、周波数変換器４６、および受信機４８を介して回線制御装置４０にもどされる。
【００６３】
このとき、回線制御装置４０は、受信機４８で復調されたデータと送り出した所定のデータが同一であるかどうかを判定し、同一のデータであれば、折り返しループ６２に係る上述したループ（ルート）が正常であると判断する。
【００６４】
折り返しループ６１、６２がともに正常であると判断された場合、ステップＳ８において、ダイプレクサ２０またはアンテナケーブル７８に不具合があるとされ、ステップＳ９において、一時記憶装置４２にその旨、すなわち不具合状況が記録される。このとき、一時記憶装置４２には、ステップＳ４〜Ｓ７の判断が成立しなかった旨、すなわちそれぞれが正常であった旨が同時に記録される。
【００６５】
このとき、一時記憶装置４２には、図３に示す診断結果表（判断結果表ともいう。）８０がデータとして記録される。
【００６６】
この診断結果表８０には、診断年月日時刻、図示していないＧＰＳ装置により取得した診断場所である経度と緯度、ステップＳ４の判断に係るアンテナ制御用サーボモータが正常である旨、ステップＳ５の判断に係るアンテナ機械周りが正常である旨、ステップＳ６の判断に係る主装置１２の送受信系が正常である旨、ステップＳ７の判断に係るＲＦ装置１６の送受信系が正常である旨、およびアンテナケーブル７８またはダイプレクサ２０が不具合である旨が記載されている。
【００６７】
この診断結果表８０は、端末装置６０の表示装置上等に表示することが可能である。
【００６８】
なお、記録内容としては、上記以外に、実際には、船舶用通信装置１０自体のインマルサットシリアル番号、製造番号、端末設定番号、各ＲＯＭバージョン、受信レベル、海岸局番号、ＩＦレベル、送信レベル等を必要に応じて記録している。
【００６９】
その後、折り返しループ６２が開放される。実際上は、アップコンバータ２６の出力側の周波数が、送信周波数ｆｔとなるように、アップコンバータ２６の倍率がもどされる。
【００７０】
図４は、不具合診断ルーチンの他の例のフローチャートを示している。
【００７１】
ステップＳ１１〜Ｓ１６までの処理内容および処理結果は、図３に示した不具合診断ルーチンのステップＳ１〜Ｓ６までの処理内容および処理結果と同一であるので、その説明は省略する。
【００７２】
ステップＳ１７では、折り返しループ６１を開き、折り返しループ６２を閉じた状態とする。
【００７３】
すなわち、回線制御装置４０は、アップコンバータ２６の出力周波数ｆｔが、受信周波数ｆｒとなるように、アップコンバータ２６の倍率を変更する。
【００７４】
その後、回線制御装置４０は、所定のデータ（不具合診断用のデータ）を送信機５０に送り出すと、所定のデータに対応する信号が、送信機５０、周波数変換器５２、インタフェース２２、同軸ケーブル１４、インタフェース２４、アップコンバータ２６、大電力増幅器２８、折り返しループ６２、低雑音増幅器３２、ダウンコンバータ３４、インタフェース２４、同軸ケーブル１４、インタフェース２２、周波数変換器４６、および受信機４８を介して回線制御装置４０にもどされる。
【００７５】
このとき、回線制御装置４０は、受信機４８で復調されたデータと送り出した所定のデータが同一であるかどうかを判定し、同一のデータであれば、折り返しループ６２に係る上述したループ（ルート）が正常であると判断する。ただし、ここでは、正常ではなく、「時々受信することができない。」という不具合が存在しているものとする。
【００７６】
そこで、回線制御装置４０は、さらに、ステップＳ１８において、上記所定のデータの折り返しループ６２を利用した連続的な送信を行う。
【００７７】
そして、ステップＳ１９では、大電力増幅器２８の送信電力を送信電力検出器３６の出力データにより正常であるかどうか、すなわち入力電力に対する出力電力としての送信電力が正常かどうかを判断する。
【００７８】
そして、送信電力が正常であると判断した場合には、大電力増幅器２８が正常であると判断する。
【００７９】
この場合、ステップＳ２０において、低雑音増幅器３２、ダウンコンバータ３４、あるいは同軸ケーブル１４に異常があると判断し、ステップＳ２１において、ステップＳ１８に係わる連続送信動作を終了し、さらにステップＳ２２において、一時記憶装置４２にその旨、すなわち不具合状況を記録する。このとき、一時記憶装置４２には、ステップＳ１４〜Ｓ１６、Ｓ１９の判断が成立しなかった旨が同時に記録される。
【００８０】
そして、一時記憶装置４２には、図３に示す診断結果表８０がデータとして記録される。
【００８１】
この診断結果表８２には、診断結果表８０と同様に、診断年月日時刻、図示していないＧＰＳ装置により取得した診断場所である経度と緯度、ステップＳ１４の判断に係るアンテナ制御用サーボモータが正常である旨、ステップＳ１５の判断に係るアンテナ機械周りが正常である旨、ステップＳ１９の判断に係るＲＦ装置１６の送信系が正常である旨、および低雑音増幅器３２、ダウンコンバータ３４または同軸ケーブル１４が不具合である旨が記載されている。
【００８２】
この診断結果表８２は、端末装置６０の表示装置上等に表示することが可能である。
【００８３】
その後、折り返しループ６２が開放される。実際上は、アップコンバータ２６の出力側の周波数が、送信周波数ｆｔとなるように、アップコンバータ２６の倍率がもどされる。
【００８４】
以上のように、上述した実施の形態によれば、主装置１２およびＲＦ装置１６において、それぞれ送信系から受信系への不具合診断用の折り返しループ６１、６２を設けることで、不具合発生時における不具合箇所を切り分けることができる。
【００８５】
不具合診断用折り返しループ６１は、主装置１２またはＲＦ装置１６のいずれか一方の側に設けることもできる。
【００８６】
たとえば、主装置１２側のみに折り返しループ６１を設けた場合には、船内装置である主装置１２とアンテナ装置７０を含むＲＦ装置１６のいずれの側に不具合が発生しているのかを切り分けて検出することが可能である。
【００８７】
ＲＦ装置１６側にのみ折り返しループ６２を設けた場合には、通信装置（主装置１２＋ＲＦ装置１６）とアンテナ装置７０（ダイプレクサ２０を含む）のいずれの側に不具合が発生しているのかを切り分けて検出することが可能である。
【００８８】
折り返しループを両方に設けた場合には、主装置１２、ＲＦ装置１６（ダイプレクサ２０を除く）およびアンテナ装置７０（ダイプレクサ２０を含む）の中、どの装置に不具合が発生しているかを切り分けて検出することができる。
【００８９】
また、送信電力検出器３６を設けているので、ＲＦ装置１６においては、さらに、ＲＦ送信系（アップコンバータ２６、および大電力増幅器２８）あるいはＲＦ受信系（低雑音増幅器３２およびダウンコンバータ３４）のいずれの側に不具合が発生しているのかを切り分けて検出することができる。
【００９０】
すなわち、この実施の形態によれば、不具合箇所の自動検出が可能となり、不具合箇所の特定が容易になる。
【００９１】
また、この実施の形態では、通信状況の不具合が発生したときのみ、一時記憶装置４２に、診断年月日時分、診断場所および切り分けた不具合箇所および正常箇所並びに送信電力等の動作状態を記憶させるようにしているので、着岸時にサービスマン等が、この一時記憶装置４２の内容を見ることで、原因究明時間を短縮化することができ、修理（たとえば、不具合箇所の部品の交換）が容易となる。
【００９２】
また、通信状況の不具合が発生したときのみ、一時記憶装置４２に記憶するようにしているので、連続的に記憶する場合に比較して、一時記憶装置４２の記憶容量を格段に少なくすることができる。
【００９３】
もちろん、一通信毎に、折り返しループ６１、６２を開閉して、送信電力データ等を記憶させることも可能である。
【００９４】
なお、この発明は、上述の実施の形態に限らず、この発明の要旨を逸脱することなく、種々の構成を採り得ることはもちろんである。
【００９５】
【発明の効果】
以上説明したように、この発明によれば、それぞれ送信系と受信系とを有するＲＦ装置および主装置の少なくとも一方の側に不具合診断用折り返しループを備えるようにしているので、この折り返しループを開閉することで不具合箇所を切り分けることができ、結果として、不具合箇所の特定が容易になるという効果が達成される。
【００９６】
また、通信状況の不具合が発生したときのみ、記憶装置に、切り分けた不具合箇所を記憶するようにしているので、ログファイルを記憶するための記憶装置のメモリ容量を低減することができる。
【００９７】
不具合箇所が記憶装置に記憶されているので、着岸時における修理時間を短縮することができる。
【図面の簡単な説明】
【図１】この発明の一実施の形態の構成を示すブロック図である。
【図２】図１例の動作説明（不具合検出ルーチンの一例）に供されるフローチャートである。
【図３】一時記憶装置に記憶される診断結果表の例の模式図である。
【図４】図１例の動作説明（不具合検出ルーチンの他の例）に供されるフローチャートである。
【図５】一時記憶装置に記憶される診断結果表の例の模式図である。
【符号の説明】
１０…船舶用通信装置              １２…主装置
１４…同軸ケーブル                １６…ＲＦ装置
２０…ダイプレクサ                ２２、２４…インタフェース
２６…アップコンバータ            ２８…大電力増幅器
３２…低雑音増幅器                ３４…ダウンコンバータ
３６…送信電力検出器              ４０…回線制御装置
４２…一時記憶装置                ４６、５２…周波数変換器
４８…受信機                      ５０…送信機
６０…端末装置                    ６１、６２…折り返しループ
６４…アンテナ制御装置            ７０…アンテナ装置
７２…アンテナ                    ７４…制御用サーボモータ
７６…角度検出装置                ７８…アンテナケーブル
８０、８２…診断結果表
【図１】
0003725459.tif 000002
【図２】
0003725459.tif 000003
【図３】
0003725459.tif 000004
【図４】
0003725459.tif 000005
【図５】
0003725459.tif 000006